(57)【要約】      （修正有）【課題】アレイ状に並べられたＬＥＤからの光を、蛍光体で変換して白色光（擬似白色光）を得る線状の光源装置において、垂直断面方向に生じる色ムラを解消することができる光源装置を提供する。【解決手段】白色光を放射する光源装置１０であり、紫外域ないし青色の光を放射する複数のＬＥＤ１１が細長いＬＥＤ基板１２上に並んで配置されてなり、前記ＬＥＤ１１の光放射面側に位置され、光出射方向に突出してなる曲面を備えて形成された樋状又は円筒状の透光性基材１５と、前記透光性基材１５に保持されてなり、前記ＬＥＤ１１からの発光によって励起され、当該ＬＥＤ１１の発光波長より長波長の光を放射する蛍光体層１３とを具備してなる。透光性基材１５は、光源装置１０の長手方向に対して垂直に切断した断面形状が、ＬＥＤ１１の光出射面上に中心を有する円弧状であるのがよい。【選択図】図３
2012243979.tif 000002
【特許請求の範囲】
【請求項１】
白色光を放射する光源装置であり、
紫外域ないし青色の光を放射する複数のＬＥＤが細長い基板上に並んで配置されてなり、
前記ＬＥＤの光放射面側に位置され、光出射方向に突出してなる曲面を備えて形成された樋状又は円筒状の透光性基材と、
前記透光性基材に保持されてなり、前記ＬＥＤからの発光によって励起され、当該ＬＥＤの発光波長より長波長の光を放射する蛍光体層とを具備してなる
ことを特徴とする光源装置。
【請求項２】
前記透光性基材は、前記光源装置の長手方向に対して垂直に切断した断面形状が、ＬＥＤの光出射面上に中心を有する円弧状である
ことを特徴とする請求項１記載の光源装置。
【請求項３】
前記透光性基材は円筒管によって構成されてなり、
前記ＬＥＤ基板が前記円筒管の内部に配置されている
ことを特徴とする請求項１または２に記載の光源装置。
【請求項４】
前記円筒管の全周に亘って前記蛍光体層が形成されている
ことを特徴とする請求項３記載の光源装置。
【請求項５】
前記ＬＥＤ基板と透光性基材の間にヒートシンクが具備され、
前記ヒートシンクの底部が前記円筒管内面に沿った形状に形成されている
ことを特徴とする請求項３記載の光源装置。
【発明の詳細な説明】
【技術分野】
【０００１】
本発明は、複数のＬＥＤを備えたライン状の光源装置に関する。
【背景技術】
【０００２】
近年、パーソナルファクシミリ等の原稿読み取り用の光源装置において、発光ダイオード（以下、ＬＥＤと言う）の出力向上と受光素子としてのＣＣＤ型センサの高感度化により、小型で低消費電力のＬＥＤが光源として使用されている。このようなＬＥＤを光源として備えた光源装置にはさまざまなものがある。ＬＥＤの構成として大きくは、Ｒ、Ｇ、Ｂの各色光を放射するＬＥＤ素子を使用して白色光を得るものと、ＬＥＤから放射された光をＹＡＧ蛍光体に照射、励起して、Ｒ，Ｇ，Ｂの色光を放射させることで擬似白色光を得るいわゆるパッケージタイプのものの２つがある。
このうち、前者のＲ、Ｇ、Ｂの各色ＬＥＤを使用する光源では、各ＬＥＤ素子の特性によって、光出力や色味により、またＬＥＤ素子の配置状態によって、色ムラが発生しやすいという問題がある。
一方、後者の蛍光体を備えたパッケージタイプのＬＥＤ光源では、読み取り用光源とする場合、白色を放射する素子を並べる構成になるため、Ｒ，Ｇ，Ｂの色光の混合に伴う色ムラは前者のものに比べて生じ難く、この点において優位である。
【０００３】
図６は、このようなＬＥＤ光源の断面図である。同図（ａ）はレンズタイプ、同図（ｂ）はフラットタイプである。ＬＥＤ光源４０は何れも、基板４１上に例えばＧａＮ系の素材により形成された青色ＬＥＤ４２を備え、ＹＡＧ蛍光体等を分散して溶融させた蛍光樹脂４３で覆って構成されている。図６（ａ）に示すレンズタイプのものは所定の配光を構成するようレンズ４４が配置されている。
青色ＬＥＤ４２から放射された光は、その一部の光が蛍光体４３を透過して放射すると共に、蛍光体４３から放射された色光と混合されることにより、白色光を構成する。
なお、このＬＥＤ光源においては、青色光を放射するＬＥＤの代わりに紫外域の光を放射するＬＥＤを備えるものがあり、この場合、蛍光樹脂４３はＲ，Ｇ，Ｂの各色光を放射する蛍光体を備えることでこれらの色光が混合されて白色光を放射する。
【０００４】
図７は、このようなＬＥＤ光源を備えた光源装置である。
同図に示すように、細長い基板上に複数のＬＥＤ光源が並んで配置されている。ＬＥＤ４２は、例えば青色の光（Ｂ）を放射するものであり、その周囲にはＬＥＤ４２からの放射光により励起されることで、黄色（Ｙ）の色光を放射する蛍光体４３を備えた光色変換部が、基板が伸びる方向と同じ長さ方向に伸びて形成される。このように、アレイ状にＬＥＤ光源４０を配置して線状の光源装置が構成され、上述した原稿読み取り用の機器に供される。
【先行技術文献】
【特許文献】
【０００５】
【特許文献１】特開２００６−１２１５５５号公報
【発明の概要】
【発明が解決しようとする課題】
【０００６】
ところが、ＬＥＤ素子上に蛍光体を備えたＬＥＤ光源を原稿の読み取りに使用しようとすると、従来この技術分野で使用されている光源、具体的には蛍光ランプのような光源と比較してむらがあり、このため原稿面の読み取り精度にむらが生じやすい。
【０００７】
この理由について前図、図６を参照して説明する。
ＬＥＤ４２の各々は数ミリ角の板状であって、表面から光を放射する。蛍光体４３はこのＬＥＤ４２を埋設するよう、通常、ＬＥＤ４２の光放射側に取り付けられている。
ここで、図６（ａ）（ｂ）の構成では、ＬＥＤ４２の表面に対して垂直に放射された青色の光Ｌｂ１と、ＬＥＤ４２の表面に対して垂直よりも傾いて放射された青色の光Ｌｂ２とを比較すると、両者は蛍光体４３を通過する距離が異なる。つまり、ＬＥＤ出射面に対して垂直に出射したＬｂ１の光は、蛍光体４３を通過する距離が短いので、青色が透過して出射されて黄色の蛍光は弱いものとなる。一方、ＬＥＤ出射面に対して斜め方向に出射したＬｂ２の光は、蛍光体４３を通過する距離が長いので、青色の光は蛍光体で黄色に変換されて弱まり、黄色の蛍光が強くなる。つまり、光源から光を取り出す方向によって色味が異なって放射されるため、ＬＥＤ４２を中心に円を描くように断面色度分布を観察すると、色分布が不均一になる。
このようなＬＥＤ４０をアレイ状に並べて線状の光源装置を構成した場合、その長手方向に沿う光は、隣接するＬＥＤ４０からの光を混合することで補完することができるので、色ムラを低減することができる。しかしながら、その長手方向に対して直交する方向に切断した面においては、他のＬＥＤの光を混成させることが困難であるため、色ムラを抑えることができない。
【０００８】
そこで、本発明が解決しようとする課題は、アレイ状に並べられたＬＥＤからの光を、蛍光体で変換して白色光（擬似白色光）を得る線状の光源装置において、垂直断面方向に生じる色ムラを解消することができる光源装置を提供することを目的とする。
【課題を解決するための手段】
【０００９】
上記課題を解決するため、本願発明は下記構成を備える。
（１）白色光を放射する光源装置であり、
紫外域ないし青色の光を放射する複数のＬＥＤが細長い基板上に並んで配置されてなり、
前記ＬＥＤの光放射面側に位置され、光出射方向に突出してなる曲面を備えて形成された樋状又は円筒状の透光性基材と、
前記透光性基材に保持されてなり、前記ＬＥＤからの発光によって励起され、当該ＬＥＤの発光波長より長波長の光を放射する蛍光体層とを具備してなる
ことを特徴とする。
（２）前記透光性基材は、前記光源装置の長手方向に対して垂直に切断した断面形状が、ＬＥＤの光出射面上に中心を有する円弧状であることを特徴とする。
（３）前記透光性基材は円筒管によって構成されてなり、前記ＬＥＤ基板が前記円筒管の内部に配置されていることを特徴とする。
（４）前記円筒管の全周に亘って前記蛍光体層が形成されていることを特徴とする。
【発明の効果】
【００１０】
（１）
本願発明に係る光源装置によれば、光出射方向に突出してなる曲面を備えて形成された樋状の透光性基材と、透光性基材に保持されたＬＥＤ素子からの発光によって励起されて前記ＬＥＤ素子の発光波長より長波長の光を放射する蛍光体層とを具備してなるので、当該ＬＥＤから放射された光が通過する蛍光体層の厚みをほぼ等しく構成することができ、光源装置の長さ方向に対して垂直切断した断面において、ＬＥＤから従って蛍光体を通過する距離（光路長）が等しくなるため、放射光の色味を周方向において均等にすることができるようになる。
（２）
また、透光性基材が円筒管より構成されてなることで、当該透光性基材の表面上に蛍光体層をほぼ均一な膜厚で構成することができ、製造が容易に行えるようになる。
（３）
また、透光性基材を構成する円筒管の全周に亘って蛍光体を塗布する方法を採用し、蛍光体層を形成することができるので簡単にむら無く蛍光体を塗布することができる。
（４）
また、円筒管内部にヒートシンクを挿入し、該ヒートシンク上にＬＥＤ基板を配置するので、ＬＥＤの放熱が促進され過熱に伴う部品劣化を抑え、ＬＥＤ発光効率を向上させることができる。
【図面の簡単な説明】
【００１１】
【図１】本発明に係る光源装置の斜視図であり、原稿照明用のユニットに搭載した状態を示す図である。
【図２】本発明に係る光源装置を長さ方向に対して垂直に切断した状態を示す説明用断面図である。
【図３】本発明に係る光源装置の光の放射方向を説明する図である。
【図４】本発明に係る光源装置を原稿読み取り用の照明装置として採用した状態を説明する断面説明図である。
【図５】本発明に係る光源装置及び従来技術にかかるＬＥＤ光源の断面色度分布を示す図である。
【図６】従来技術にかかるＬＥＤ光源を示す説明用断面図である。
【図７】従来技術にかかる原稿読み取り用の光源を構成した光源装置を示す斜視図である。
【発明を実施するための形態】
【００１２】
以下、本発明の実施の形態を図１〜４を参照して説明する。図１は本発明に係る光源装置の斜視図であり、原稿照明用のユニットに搭載した状態を示す図である。図２は光源装置を長さ方向に対して垂直に切断した状態を示す説明用断面図、図３は光源装置の光の放射方向を説明する図、図４は本発明に係る光源装置を原稿読み取り用の照明装置として採用した状態を説明する断面説明図である。
図１において、透光性基材１５の内部にアレイ状に配置された複数のＬＥＤ素子１１（以下単に「ＬＥＤ」とも称す。）が配置されている。
透光性基材１５は、両端が開放された可視光に対して透過性を有する円筒管よりなり、その内部に肉厚板状のヒートシンク１４が配置されている。ヒートシンク１４上に、ＬＥＤ基板１２が配置され、複数のＬＥＤ１１が配置されている。
ＬＥＤ基板１２の材質としては、ガラスエポキシ（ＦＲ−４）、金属（Ｃｕ、Ａｌ）、セラミックス（ＡｌＮ，Ａｌ２Ｏ３）などである。
【００１３】
ヒートシンク１４は、熱の伝導特性が良好な材質より構成され、アルミ等の金属や、窒化アルミニウム（ＡｌＮ）、酸化アルミニウム（アルミナ、Ａｌ２Ｏ３）などのセラミックスからなる。このように、ヒートシンク１４の上面部１４ａに基板１２が密着して取り付くことで、ＬＥＤ１１より放出された熱を、ＬＥＤ基板１２、ヒートシンク１４へ伝達し、効率よく放熱することができる。
【００１４】
透光性基材１５は、材質としてはガラスや透光性の樹脂からなる。ガラスとして好ましくは、ソーダ石灰ガラス、アルミノ珪酸ガラス、ホウケイ酸ガラス、バリウムガラスなどである。樹脂としては、アクリル樹脂、ポリカーボネート樹脂、ポリエステル系透明樹脂、環状オレフィンコポリマー（ＣＯＣ）、環状オレフィンポリマー（ＣＯＰ）などを使用することができる。また、透光性セラミックスを用いることもできる。
【００１５】
なお、図３に示すように、ＬＥＤ１１の光出射面が透光性基材１５の筒内部の中心位置に配置されることにより、ＬＥＤ１１からの放射光が蛍光体層１３を通過する際、この蛍光体層１３の厚みがほぼ均一であるので、透光性基材１５の長手方向に対して直交する断面において、色むらの発生を抑えることができるようになる。
【００１６】
このような透光性基材１５は、本実施形態では円筒管の例で示したが、ＬＥＤ１１の光放射側面を覆う断面Ｃ字状の樋型のものであっても構わない。要は、透光性基材はＬＥＤの光出射方向に突出してなる曲面を備えて形成されたものであれば足りる。
【００１７】
透光性基材１５の光放射側の反対側の外周面上には、図１、２で示すように遮光部材１６が具備されている。遮光部材１６は、透光性基材１５が伸びる方向に所定の幅で開口が形成された断面Ｃ字状のスリーブからなり、材質としては樹脂を好適に用いることができる。
具体的には、ポリエチレン・テレフタレート（ＰＥＴ）、ポリエチレン・ナフタレート（ＰＥＮ）等からなる高分子系フィルム部材を用いることができる。なお、このような遮光部材１６は可視光反射率が０〜３０％の範囲であることが好ましく、このように、光源装置１０の反光放射側の外周を覆うことで、迷光の発生を防止し、原稿の読み取り用の光源として使用された場合に原稿面に不所望な光が入射することを防止することができる。
【００１８】
なお、図１における符号１７は、光源装置１０を原稿読み取り用装置に配置する際、これを保持する保持部材である。
【００１９】
この光源装置１０は、図２，３において図示するように、透光性基材１５の内周面上に蛍光体層１３が形成されている。蛍光体層１３を構成する蛍光体は、ＬＥＤ素子より放射された光によって励起されて特定の波長領域の光を放射する特性を備えたものであり、最終的に光源装置１０よりの放射光が全体として白色光を放射するよう調製して構成されたものである。かかる蛍光体は、ＬＥＤ１１からの放射光の波長域に従って種類が決定されるものであり、具体的には下記の組合せを採用することができる。
【００２０】
ＬＥＤ１１が波長４５０ｎｍ近傍領域の青色の光を放射するものである場合、この波長領域の光によって光を放射する蛍光体であり、波長５７０ｎｍ近傍の光を放射する黄色蛍光体と、波長５５０ｎｍ近傍の光を放射する緑色蛍光体と、波長６２０ｎｍ近傍の光を放射する赤色蛍光体とを備える。
黄色蛍光体（すなわち、波長５７０ｎｍ近傍の光を放射する蛍光体）の具体的な例は、（Ｙ，Ｇｄ）３Ａｌ５Ｏ１２：Ｃｅ，Ｔｂ３Ａｌ５Ｏ１２：Ｃｅ，（Ｓｒ，Ｂａ）Ｓｉ２（Ｏ，Ｃｌ）２Ｎ２：Ｅｕ，ＳｒＳｉ２（Ｏ，Ｃｌ）２Ｎ２：Ｅｕである。
緑色蛍光体（すなわち、波長５５０ｎｍ近傍の光を放射する蛍光体）の具体的な例は、Ｃａ３Ｓｃ２Ｓｉ３Ｏ１２：Ｃｅ，Ｓｒ−ＳｉＯＮ：Ｅｕ，Ｙ３（Ａｌ，Ｇａ）５Ｏ１２：Ｃｅである。
・赤色蛍光体（すなわち、波長６２０ｎｍ近傍の光を放射する蛍光体）の具体的な例は、ＣａＡｌＳｉＮ３：Ｅｕ，（Ｃａ，Ｓｒ）２Ｓｉ５Ｎ８：Ｅｕ，ＣａＳｉＮ２：Ｅｕ，Ｓｒ３ＳｉＯ２：Ｅｕ，Ｙｂである。
【００２１】
このように、ＬＥＤ素子の放射光の波長が、例えば４５０ｎｍ近傍である場合には、ＬＥＤからの放射光はその一部が蛍光体層及び透光性基材を通過して放射されると共に、ＬＥＤからのそのほかの放射光が蛍光体を照射して黄色（Ｙ）、緑色（Ｇ）及び赤色（Ｒ）の各色光が透光性基材を通過して外部に放射されることになり、Ｙ，Ｒ，Ｇ，Ｂの色光が混合された白光が放射される。そしてこの結果、これらの各色光が混合して形成された白色光が、ライン状に放射される光源を構成する。
【００２２】
また、ＬＥＤ１１が波長４２０ｎｍ以下の領域の近紫外の光を放射するものである場合、この波長領域の光によって励起されて、蛍光を放射する蛍光体であり、波長４５０ｎｍ近傍の光を放射する青色蛍光体と、波長５５０ｎｍ近傍の光を放射する緑色蛍光体と、波長６２０ｎｍ近傍の光を放射する赤色蛍光体とを備える。
青色蛍光体（すなわち、波長４５０ｎｍ近傍の光を放射する蛍光体）の具体的な例は、（Ｓｒ，Ｃａ，Ｂａ，Ｍｇ）１０（ＰＯ４）６Ｃｌ２：Ｅｕ，（Ｂａ，Ｓｒ）ＭｇＡｌ１０Ｏ１７：Ｅｕ，（Ｓｒ，Ｂａ）３ＭｇＳｉ２Ｏ８：Ｅｕである。
緑色蛍光体（すなわち、波長５５０ｎｍ近傍の光を放射する蛍光体）の具体的な例は、ＺｎＳ：Ｃｕ，Ａｌ，ＢａＭｇＡｌ１０Ｏ１７：Ｅｕ，Ｍｎ，ＳｒＡｌ２Ｏ４：Ｅｕである。
赤色蛍光体（すなわち、波長６２０ｎｍ近傍の光を放射する蛍光体）の具体的な例は、Ｂａ３ＭｇＳｉ２Ｏ８：Ｅｕ，Ｍｎ，（Ｓｒ，Ｃａ，Ｂａ，Ｍｇ）１０（ＰＯ４）６Ｃｌ２：Ｅｕ，Ｍｎである。
【００２３】
このように、ＬＥＤ素子が約４２０ｎｍ以下の近紫外を含む紫外域の光を放射する場合には、かかる紫外光はガラスを通過することなく、放射光が蛍光体を照射して蛍光体層において変換され、変換された青色（Ｂ）、緑色（Ｇ）及び赤色（Ｒ）の各色光が、透光性基材を通過して外部に放射されることになり、Ｒ，Ｇ，Ｂの色光が混合された白光が放射され、ライン状の光源を構成する。
【００２４】
上述した種々の蛍光体は、例えば励起光からの変換効率に由来して決定される放射強度と、変換後の光の波長帯などの個々の蛍光体の特性に応じて、白色光を形成するのに適した組合せ及び混合割合が決定されることになる。
【００２５】
蛍光体層を形成する際は、複数の蛍光体を混合して混合粉末とし、適当なバインダと混合してスラリー液を調製し、引き上げ法、流し込み法、ディッピング法などの方法を用いて透光性基材の内面に塗布して蛍光体層を形成する。
本発明のように透光性基材として円筒管を用いることで、当該管の断面方向において蛍光体層の厚さにむらが生じにくくなる。更に円筒管全体に蛍光体を塗布するよう引き上げ法を採用して塗布する手段によれば、更に均一性が上がるので効果的である。蛍光体層は上述の方法を採用し、透光性基材を構成する円筒管（内周面）の全周に亘って形成することで、特にこのような効果が得られる。蛍光体層の厚さが均一であると、ＬＥＤからの放射光が通過する蛍光体層の厚みが均一になり、最終的に得られる白色光に色むらを生じにくくなる。
【００２６】
図３は、図１，２の光源装置を、長手方向に対して垂直に切断した断面を拡大して示す図である。なお同図では便宜上遮光部材（１６）の構成を除いて図示している。
この実施形態において、ＬＥＤ１１の光出射面の中心Ｏは透光性基材１５を構成する円筒管の中心に一致するよう配置されている。言い換えると、透光性基材は、前記光源装置の長手方向に対して垂直に切断した断面形状が、ＬＥＤの光出射面上に中心を有する円弧状となっている。
【００２７】
ＬＥＤ１１の中心Ｏ部分より放射した光１１ａ、１１ｂのいずれもが、透光性部材に保持された蛍光体層１３を通過して、ＬＥＤ光と蛍光体により変換された光が混合して構成された白色光、又は、蛍光体により変換された光で構成された白色光となって、光源装置から放射される。このとき、ＬＥＤ１１の表面に対して垂直方向に放射した光である１１ａ及びＬＥＤ１１の表面に対して斜め方向に放射した光である１１ｂのいずれもが、蛍光体層１３を通過した場合にも、光路長はほぼ等しいものとなり、放射光の色味が等しくなる。従って、光源装置から放射される光の色味が、透光性基材１５の管軸に垂直な断面上で均一化され、原稿読み取り用に用いた場合に、色ムラの発生を効果的に解消することができる。
【００２８】
ここで、図４を参照して上記光源装置を原稿の読取装置に適用した場合の実施形態を説明する。同図は本発明にかかる光源装置を、原稿の読取装置採用したときの、透光性基材１５の管軸に垂直な説明用断面図である。
図４において、光源装置は原稿を配置するガラス面２０の下部に配置されており、ＬＥＤ１１の中心Ｏから直進して放射される白色光１１ａはガラス面３０に対して斜め方向から読み取り部Ｐに入射するよう構成される。また光源装置１０に対向する位置に反射ミラー２１が配置されており、ＬＥＤ１１において、ガラス面２０から遠い位置にある遮光部材１６の開口縁部近傍より出射した白色光１１ｃは、ガラス面２０に対して略平行方向に出射されるが、対向位置に配置された平面反射ミラー２１により反射されて、ガラス面２０における読み取り部Ｐに向かって入射する。
この結果、光源装置１０より出射した白色光のうち一部（１１ａ）は、直接光としてガラス面２０に対して斜め方向に入射し、他の白色光の一部（１１ｃ）は、読み取り部Ｐを通過する軸（Ｍ）を対称軸として、直接光とは反対側の斜め方向から、反射光として入射するようになる。
【００２９】
このようにして、ガラス面における読み取り部を多方向からの光で照射することで、原稿に凹凸があった場合にも文字や図形の識別が確実に行われ、原稿の読み取り精度を高くすることができるようになる。
【００３０】
［実施例］
以下、本発明にかかる光源装置の効果を、光源装置の断面色度分布を測定することによって検証を行った。
まず、本発明にかかる光源装置を下記要領で製作した。ＬＥＤは青色の光を放射するものであり、透光性基材の内面に黄色蛍光体を塗布して蛍光体層を形成した。ＬＥＤは、波長４５６−４６７ｎｍ近傍に主ピークを有し、スペクトルの裾野が短波長側で約４２０ｎｍ、長波長側で約５１０ｎｍの光を放射するもであった。蛍光体は、根本特殊化学社製ＡＳＫ−２３  Ｎ２５４、（Ｓｒ，Ｂａ）Ｓｉ２（Ｏ，Ｃｌ）２Ｎ２：Ｅｕ（ユウロピウム付活クロロ酸窒化ケイ素バリウムストロンチウム）であった。
ＬＥＤを、透光性基材内部に治具で固定して、概略図３に示す構成の光源装置を構成した。なおこのときＬＥＤと蛍光体層（透光性基材）との距離は約１０ｍｍであった。
色温度分布の測定においては、受光部をＬＥＤに向け、断面図においてＬＥＤを中心とした円周方向に移動させ、１０°毎にデータを取得した。なお、ＬＥＤの中心と受光部の距離（測定距離）は３０ｍｍであった。
【００３１】
更に従来技術と対比するため、図６（ａ）で示したレンズタイプのＬＥＤ光源について、上記と同じ方法で断面色度分布を測定した。
すなわち、色温度分布測定のための受光部を、ＬＥＤの中心と受光部の距離（測定距離）は３０ｍｍ（一定）としてＬＥＤに向け、断面図においてＬＥＤを中心とした円周方向に移動させた。上記と同様１０°毎にデータを取得して色度分布測定を行った。
【００３２】
図５にこの結果を示す。同図において、配光角度０°は、ＬＥＤの直上から測定したデータであり、９０°及び−９０°のデータは、ＬＥＤ表面の真横からの光を捉えたデータである。色度は０°のデータを基本として色度の差分を表している。
図５において、従来技術にかかる色度分布については細線を用い、本願発明にかかる光源装置の色度分布については太線を用いて示している。
従来技術においては、同図に示すように、０°から±９０°に近付くに従い色度変化が徐々に大きくなっている。
これに対し、本発明によれば、色度の差異は０．０１０以下であり、色むらが極めて少ないことがわかる。
この結果から明らかなように、本願発明による光源装置によれば、色度変化が小さな、すなわち、色ムラが小さな光源装置を提供することができるようになる。
【符号の説明】
【００３３】
１０      光源装置
１１      ＬＥＤ（ＬＥＤ素子）
１２      ＬＥＤ基板
１３      蛍光体層
１４      ヒートシンク
１４ａ    上面部
１５      透光性基材
１６      遮光部材
１７      保持部材
２０      ガラス面
２１      平面反射ミラー
Ｐ        読み取り部
【図１】
2012243979.tif 000003
【図２】
2012243979.tif 000004
【図３】
2012243979.tif 000005
【図４】
2012243979.tif 000006
【図５】
2012243979.tif 000007
【図６】
2012243979.tif 000008
【図７】
2012243979.tif 000009